(57)【要約】【課題】ＩＰ電話の通話中に、連続的に終了まで動画、静止画又はテキスト等の広告情報を、発信者及び着信者それぞれの利用者に関する例えば居住地域や趣味、嗜好などの属性情報に合わせて個別に配信することを可能とし、また、通信料を広告提供事業者が一部負担することでＩＰ電話利用者の拡大と新たなビジネスの実現を目的とする。【解決手段】利用者とインターネットを介して接続し、広告提供事業者とはネットワークを介して接続し、広告情報ＤＢと、広告情報ＤＢに格納されている動画、静止画又はテキストの広告情報を送信する広告送信装置と、料金計算のために広告の配信情報等を管理するサービス提供装置とを備え、利用者個々の属性に対応した広告情報を配信しながらＩＰ電話の通信をする。【選択図】  図２
2004236255.tif 000002
【特許請求の範囲】
【請求項１】
ディスプレイ付情報通信端末又はディスプレイ付ＩＰ電話とインターネットを介して接続し、広告を提供する複数の広告提供事業者とはネットワークを介して接続した広告情報を伴うＩＰ電話サービスシステムであって、
前記広告提供事業者が提供する広告情報を格納する広告情報データベースと、前記ディスプレイ付情報通信端末又はディスプレイ付ＩＰ電話に、前記広告情報データベースに格納されている動画、静止画及びテキストの少なくとも一つを含んでなる広告情報をＩＰ電話の通信終了までの全時間帯又は一部の時間帯に送信する広告送信手段と、前記広告情報の配信情報を管理するサービス提供手段とを、備えたことを特徴とする広告情報を伴うＩＰ電話サービスシステム。
【請求項２】
前記広告情報を伴うＩＰ電話サービスシステムであって、前記広告情報データベースには、発信者又は着信者又は両者の個々の属性に対応した広告情報を格納し、前記広告送信手段から、発信者又は着信者又は両者に個々の属性に対応した広告情報を配信しながらＩＰ電話の通信をすることを特徴とする請求項１に記載の広告情報を伴うＩＰ電話サービスシステム。
【請求項３】
前記広告情報を伴うＩＰ電話サービスシステムであって、前記サービス提供手段は、前記広告の配信開始から配信終了まで、前記配信情報として、広告配信時間と広告配信の時間帯と配信回数と接続される配信の利用者数とを管理することを特徴とする請求項１又は請求項２に記載の広告情報を伴うＩＰ電話サービスシステム。
【請求項４】
前記広告情報を伴うＩＰ電話サービスシステムであって、前記サービス提供手段は、前記ディスプレイ付情報通信端末又はディスプレイ付ＩＰ電話の広告表示能力に応じて、発信者又は着信者のディスプレイ付情報通信端末又はディスプレイ付ＩＰ電話に、前記広告送信手段から動画、静止画及びテキストの少なくとも一つを含んでなる広告情報を送信することを特徴とする請求項１乃至請求項３のいずれか１項に記載の広告情報を伴うＩＰ電話サービスシステム。
【請求項５】
ディスプレイ付情報通信端末又はディスプレイ付ＩＰ電話とインターネットを介して接続し、広告を提供する複数の広告提供事業者とはネットワークを介して接続した広告情報を伴うＩＰ電話サービスシステムを用いてサービス提供事業者が行うＩＰ電話サービス方法であって、
前記広告提供事業者から、広告情報の登録を受け付けるステップと、前記ディスプレイ付情報通信端末又はディスプレイ付ＩＰ電話に、動画、静止画及びテキストの少なくとも一つを含んでなる広告情報をＩＰ電話の通信終了までの全時間帯又は一部の時間帯に送信するステップとを、含むことを特徴とする広告情報を伴うＩＰ電話サービス方法。
【請求項６】
前記広告情報を伴うＩＰ電話サービス方法であって、
発信者又は着信者又は両者に、個々の属性に対応した広告情報を配信しながらＩＰ電話の通信をするステップを含むことを特徴とする請求項５に記載の広告情報を伴うＩＰ電話サービス方法。
【請求項７】
前記広告情報を伴うＩＰ電話サービス方法であって、
広告配信の時間と広告配信の時間帯と配信回数と接続される配信の利用者数とに基づき前記広告提供事業者に課金するステップと、前記課金をすることにより、発信者又は着信者又は両者に対してＩＰ電話の通信料の一部又は全てを割り引くステップとを、含むことを特徴とする請求項５又は請求項６に記載の広告情報を伴うＩＰ電話サービス方法。
【請求項８】
前記広告情報を伴うＩＰ電話サービス方法であって、
前記ディスプレイ付情報通信端末又はディスプレイ付ＩＰ電話の表示能力を設定するステップと、前記表示能力に応じて、発信者又は着信者のディスプレイ付情報通信端末又はディスプレイ付ＩＰ電話に動画、静止画及びテキストの少なくとも一つを含んでなる広告情報を提供するステップとを含み、それぞれの広告情報を閲覧した時点から発信者と着信者の間でＩＰ電話の通信を可能とする請求項５乃至請求項７のいずれか１項に記載の広告情報を伴うＩＰ電話サービス方法。
【請求項９】
広告情報を伴うＩＰ電話サービスシステムに用いられるＩＰ電話サービスプログラムであって、請求項１乃至請求項４のいずれか１項に記載のＩＰ電話サービスシステムを実現させることを特徴とするＩＰ電話サービスプログラム。
【請求項１０】
請求項９に記載のＩＰ電話サービスプログラムを記録したことを特徴とするコンピュータ読み取り可能な記録媒体。
【発明の詳細な説明】
【０００１】
【発明の属する技術分野】
本発明は、ＩＰ網における広告情報を伴うＩＰ電話サービスシステム及びＩＰ電話サービス方法並びにＩＰ電話サービスプログラム及び読み取り可能な記録媒体に関する。
【０００２】
【従来の技術】
近年、ＩＰ電話サービスの普及が加速してきており、ＩＰ網内に収容されるＩＰゲートウェイやルータ等を用いて音声ＩＰパケットを伝送し、利用者の情報通信端末間等でＩＰ電話の通信をしている。ＩＰ電話サービスにおいて、サービス提供事業者が、利用者に対して広告情報を送信する代償に通話料を負担するサービス等がある。このサービスを実現するための従来技術としては次のものがある（例えば特許文献１、特許文献２、特許文献３参照）。特許文献１には、サービス提供事業者が、フリーダイヤル番号等により、サービスを認識し、希望する通信相手に接続をする前に一定時間広告情報を送信し、その後希望する通信相手に接続し、利用者が一定時間分だけ広告情報を聞くことを条件に、一定の通話料を広告業者に負担させるサービスに関する技術が開示されている。また、特許文献２には、利用者が、予め各広告主に割り当てられている広告主識別番号に電話すると広告情報装置に接続し、所定時間（例えば３０秒）或いは所定のデータ量だけ広告情報を送信するサービスに関する技術が開示されている。さらに、特許文献３には、サービス提供事業者が、利用者の発信先識別文字列と発信元識別文字列とを含む電話メッセージを利用者端末から受信し、広告文字列を含む広告文字メッセージを広告サーバから利用者端末に送信するサービスに関する技術が開示されている。
【０００３】
【特許文献１】
特開平８−１７２４９５号公報（［０００９］−［００１４］）
【特許文献２】
特開平８−１３０５７９号公報（［０００３］−［０００５］）
【特許文献３】
特開２００２−２９０５６７号公報（［０００６］−［００１９］）
【０００４】
【発明が解決しようとする課題】
しかしながら、これらのサービスでは、発信者のみへの広告配信であり、希望する相手と通信をする前にのみ広告情報が送信され、その後に通信をするため、広告情報の配信時間が限定されていたりする（例えば特許文献１）。また、これらのサービスでは、発信者又は着信者又は両者が通話中の任意のタイミングで広告配信を受けられるが、その間の通話が中断したり（例えば特許文献２）、文字列のメッセージのみの広告であったりしていた（例えば特許文献３）。
【０００５】
そこで、本発明は、配信時間が限定されることなく、ＩＰ電話の通話中に連続的に通話終了まで広告情報を配信することを可能とし、また広告情報を、文字列のメッセージに限定することなく、それぞれの利用者の属性に合わせて個別に配信することを可能とする。さらに、ＩＰ電話の通信料を広告提供事業者が一部負担することでＩＰ電話利用者の拡大と新たなビジネスの実施を可能とすることを目的とする。
【０００６】
【課題を解決するための手段】
前記課題を解決するため、ＩＰ電話を利用する発信者又は着信者又は両者の通信チャネルと別のチャネルを利用することで、ＩＰ電話の通話中に連続的に終了まで動画又は静止画又はテキスト等の広告情報を、それぞれの利用者に関する例えば居住地域や趣味、嗜好等の属性情報に合わせて個別に配信することを可能とし、また、広告情報を配信している間、ＩＰ電話の通信料を広告提供事業者が一部負担することを可能とする。
【０００７】
本発明の広告情報を伴うＩＰ電話サービスシステムは、利用者のディスプレイ付情報通信端末又はディスプレイ付ＩＰ電話とインターネットを介して接続し、広告を提供する複数の広告提供事業者とはネットワークを介して接続し、広告情報を格納する広告情報データベースと、前記広告情報データベースに格納されている動画、静止画及びテキストの少なくとも一つを含んでなる広告情報を送信する広告送信手段と、前記広告情報の配信情報を管理するサービス提供手段とを備える。
【０００８】
また、前記広告情報データベースには、利用者個々の属性に対応した広告情報を格納し、前記広告送信手段から発信者又は着信者又は両者に個々の属性に対応した広告情報を配信しながらＩＰ電話の通信をすることを特徴とする。
【０００９】
さらに、前記サービス提供手段は、前記広告の配信開始から配信終了まで、配信情報として、前記広告配信の時間と広告配信の時間帯と配信回数と接続される配信の利用者数とを管理することを特徴とする。
【００１０】
さらにまた、前記サービス提供手段は、利用者のディスプレイ付情報通信端末又はディスプレイ付ＩＰ電話の表示能力に応じて、前記ディスプレイ付情報通信端末又はディスプレイ付ＩＰ電話に、前記広告送信手段から動画、静止画及びテキストの少なくとも一つを含んでなる広告情報を送信することを特徴とする。
【００１１】
本発明の広告情報を伴うＩＰ電話サービス方法は、サービス提供事業者が行う方法であって、前記広告提供事業者から、広告情報の登録を受け付けるステップと、前記ディスプレイ付情報通信端末又はディスプレイ付ＩＰ電話に、動画又は静止画又はテキストの広告情報をＩＰ電話の通信終了までの全時間帯又は一部の時間帯に送信するステップとを含む。
【００１２】
また、本発明の広告情報を伴うＩＰ電話サービス方法は、利用者に、個々の属性に対応した広告情報を配信しながらＩＰ電話の通信をするステップと、広告配信の時間と広告配信の時間帯と配信回数と接続される配信の利用者数とに基づき前記広告提供事業者に課金するステップと、前記課金をすることにより、利用者に対してＩＰ電話の通信料の一部又は全てを割り引くステップとを含む。
【００１３】
さらに、本発明の広告情報を伴うＩＰ電話サービス方法は、前記ディスプレイ付情報通信端末又はディスプレイ付ＩＰ電話の表示能力を設定するステップと、前記表示能力に応じて、利用者のディスプレイ付情報通信端末又はディスプレイ付ＩＰ電話に動画又は静止画又はテキストの広告情報を提供するステップとを含み、それぞれの広告情報を閲覧した時点から発信者と着信者の間でＩＰ電話の通信を可能とする方法である。
【００１４】
本発明によれば、ＩＰ電話の通信中に連続的に、通信終了まで動画又は静止画又はテキスト等の広告情報を、それぞれの利用者に関する属性情報に合わせて個別に配信することを可能とし、また、広告情報を配信している間、ＩＰ電話の通信料を広告提供事業者に課金することが可能であり、ＩＰ電話サービスの新たなビジネスを構築することができる。
【００１５】
【発明の実施の形態】
以下、本発明の実施の形態について、図面を参照して詳細に説明する。図１は、本発明の一実施形態に係る広告情報を伴うＩＰ電話サービスシステムのシステム構成を示す図である。サービス提供事業者４の広告情報を伴うＩＰ電話サービスシステム２０（適宜、ＩＰ電話サービスシステムと略称する）は、発信者の情報通信端末１又はディスプレイ付ＩＰ電話２（適宜、ＩＰ電話と略称する）及び着信者の情報通信端末８又はディスプレイ付ＩＰ電話９とインターネット（ＩＰ網）１０を介して接続されている。また、複数の広告提供事業者３とインターネットや専用線等のネットワーク１１を介して接続されている。広告提供事業者３は、動画又は静止画又はテキスト等の広告情報（適宜、広告情報と略称する）をサービス提供事業者４に提供する。また、広告情報を伴ってＩＰ電話をかける発信者は、情報通信端末１又はＩＰ電話２を所有し、着信者識別番号を発信すると、情報通信端末１又はＩＰ電話２は、発信者アドレスと着信者識別番号と動画又は静止画又はテキスト等の表示能力（広告表示能力）をサービス提供事業者４のＩＰ電話サービスシステム２０に送信する。広告表示能力は、発信者又は着信者の情報通信端末１，８又はディスプレイ付ＩＰ電話２，９の回線能力や端末機能の動画又は静止画又はテキスト等の表示能力であり、能力が小さい場合はテキストのみによる広告情報を配信する。
【００１６】
ＩＰ電話サービスシステム２０は、発信者からの広告情報の依頼に基づき、着信者の情報通信端末８又はＩＰ電話９のアドレスを確認し、発信者又は着信者又は両者（適宜、利用者と略称する）に発信者又は着信者の地域等の属性に対応した別々の異なる広告情報を連続的に提供する。発信者又は着信者又は両者は、広告情報を情報通信端末１，８又はディスプレイ付ＩＰ電話２，９で受信し、広告情報が配信されている間、ＩＰ電話の通信をすることが可能である。また、ＩＰ電話を利用した通信料は、広告提供事業者３が一部負担又は全ての負担をする仕組みが可能である。
【００１７】
図２は、ＩＰ電話サービスシステム２０のブロック構成図である。ＩＰ電話サービスシステム２０は、広告情報ＤＢ（データベース）５と広告送信装置６とサービス提供装置７とデータベース管理手段２１と通信手段２２とで構成されている。なお、広告送信装置６は、特許請求の範囲の広告送信手段に相当し、サービス提供装置７は、特許請求の範囲のサービス提供手段に相当する。
【００１８】
広告情報ＤＢ５には、広告提供事業者３から提供された広告情報が、サービス提供装置７及び広告送信装置６を経由し、格納される。この広告情報ＤＢ５には、動画による広告情報５１、静止画による広告情報５２及びテキストによる広告情報５３等の広告情報が格納されている。この広告情報は、発信者及び着信者の地域等の属性に対応した情報になっている。また、広告配信時間、広告配信の時間帯、配信回数及び接続される配信の利用者数５４等の広告配信に関する配信情報が格納されている。なお、この配信情報は、広告情報ＤＢ５とは別のＤＢに格納されていても構わない。
【００１９】
広告送信装置６は、発信者又は着信者又は両者に、発信者又は着信者のそれぞれの属性に対応した別々の異なる広告情報を広告情報ＤＢ５から入力し、配信することが可能であり、例えば、その属性が地域である場合、地域毎に複数の広告情報を配信することができる。
【００２０】
サービス提供装置７は、発信者の情報通信端末１又はＩＰ電話２からの発信要求を受け付けたり、着信者の情報通信端末８又はＩＰ電話９への着信可否通知を行ったりする。また、広告配信に伴い、広告配信時間、広告配信の時間帯、配信回数及び接続される配信の利用者数５４等の配信情報の取得を含めた管理を行う。
【００２１】
なお、これらＩＰ電話サービスシステム２０は、コンピュータを用いて、ＩＰ電話サービスプログラムとしてコンピュータのプログラムで実現することができる。また、ＩＰ電話サービスプログラムは、コンピュータ読み取り可能な記録媒体に記録することができる。
【００２２】
図３は、発信者又は着信者への広告情報と料金の流れを示すフロー図であり、広告提供事業者３が発信者の通信料を一部負担する場合を示している。広告情報提供と料金の流れについて説明する。
【００２３】
サービス提供事業者４は、広告提供事業者３から、事前に広告情報の登録を受け付けておく（Ｓ１）。発信者が着信者識別番号を発信すると、情報通信端末１又はＩＰ電話２は、動画又は静止画又はテキスト等の広告表示能力をサービス提供事業者４のＩＰ電話サービスシステム２０（図１参照）に設定し（Ｓ２）、サービス提供事業者４に広告情報の配信を要求する。サービス提供事業者４は、ＩＰ網１０を経由し、情報通信端末１又はＩＰ電話２に動画又は静止画又はテキスト等の広告情報を、発信者の地域等の個々の属性に対応したそれぞれの異なる広告情報を配信する（Ｓ３）。着信者の広告表示能力を確認し（Ｓ４）、広告情報を配信する（Ｓ７）。着信者のディスプレイ付ＩＰ電話９が回線能力や端末能力が小さい場合はテキストのみによる広告情報を配信する。この広告情報は、ＩＰ電話通信の切断を受ける時点まで（ＩＰ電話の通信終了まで）の全時間帯に配信される。又は一部の時間帯に配信されても構わない。
【００２４】
発信者又は着信者又は両者は、発信者又は着信者の地域等の個々の属性に対応した広告情報をお互いに受信後にＩＰ電話の通信が可能となり、サービス提供事業者４は、広告情報を配信する条件に応じて、割り引いた通信料を発信者に請求する（Ｓ５）。また、サービス提供事業者４は、広告情報の広告配信時間と、例えば昼或いは夜或いは深夜等の広告配信の時間帯と、配信回数と、接続される配信の利用者数（図２の符号５４）とにより、利用した通信料とサービス提供事業者４の手数料等を含めて広告提供事業者３に、例えば、一ケ月毎に纏めて広告料金の請求をする（Ｓ６）。広告を配信する時間帯は、昼或いは夜或いは深夜等の時間帯により料金が異なる。広告情報ＤＢ５（図２参照）は、例えば属性を地域等にした場合、全国の各地域に動画又は静止画又はテキスト等のメディアを、当該地域に合った広告情報として提供することが可能である。サービス提供事業者４は、発信者又は着信者からＩＰ電話通信の切断（Ｓ８）を受けた時点で発信者及び着信者に広告情報の配信を停止し、前記通信料金の算出をする。
【００２５】
発信者は、ディスプレイを有する情報通信端末１又はＩＰ電話２で、着信者識別番号を発信すると、情報通信端末１又はＩＰ電話２は、発信者アドレスと着信者識別番号と広告表示能力とをサービス提供事業者４のサービス提供装置７（図２参照）に送信する。また、発信者又は着信者は、個々の属性に対応したそれぞれの異なる広告情報を、ＩＰ網１０を経由して受信をし、広告情報を受信した時点から発信者と着信者との間でＩＰ電話の通信をすることができる。
【００２６】
これらにより、利用者は、広告情報の提供を利用することにより、ＩＰ電話の通信料の負担を軽減され、或いは広告情報を最後まで閲覧することにより、例えば通信料が全額無料になり全て広告提供事業者３に課金することも可能である。また、サービス提供事業者４は、広告提供事業者３から広告費の一部の費用を得ることも可能であり、新たなビジネスとして実施することが可能となる等の効果がある。
【００２７】
また、サービス提供事業者４は、発信者又は着信者の地域等の個々の属性に対応した別々の異なる広告情報を配信することにより、利用者にとって身近で興味のある広告情報にすることができ、一層のＩＰ電話利用に対する広がり等の効果を期待できる。
【００２８】
さらに、情報通信端末１，８又はＩＰ電話２，９の機能（広告表示能力）に応じて、広告情報の配信が可能となるため、広告提供事業者３は、販売する商品或いはイベント情報等を動画又は静止画又はテキスト等の広告情報で配信することが可能となり、新たなビジネスチャンスを確保できるという効果がある。
【００２９】
図４及び図５は、サービス提供事業者４が、広告情報を伴うＩＰ電話サービスを行う場合の、広告情報の流れとＩＰ電話サービスシステム２０のシーケンスを示すフローチャート図である。これらの図には、広告情報を伴わないＩＰ電話サービスに関しては省略してある。なお、サービス提供事業者４が、広告情報を伴うＩＰ電話サービスと広告情報を伴わないＩＰ電話サービスの両方を提供し、相手番号にサービス識別コードを付加してサービスを識別する形態もある。また、図４及び図５において、広告送信装置６は、シーケンスを示すフローを説明する関係上、２箇所に記載してあるが同じものである。
【００３０】
図４及び図５のＩＰ電話サービスシステムのシーケンスについて説明する。図４において、発信者は、情報通信端末１又はＩＰ電話２に着信者識別番号等を発信すると（Ｓ３０）、情報通信端末１又はＩＰ電話２は、着信者識別番号と発信者アドレスと広告表示能力を含む発信要求信号をサービス提供事業者４のサービス提供装置７に送信する（Ｓ３ｌ）。これを受けて、サービス提供装置７は、情報通信端末１又はＩＰ電話２に広告装置（広告送信装置）アドレスと呼識別番号Ａの発信要求確認信号を送信する（Ｓ３２）。
【００３１】
情報通信端末１又はＩＰ電話２は、広告送信装置６に広告表示能力と呼識別番号Ａを含む広告送信要求信号を送信する（Ｓ３３）。広告送信装置６は、情報通信端末１又はＩＰ電話２に広告送信チャネル接続信号を返送すると（Ｓ３４）、情報通信端末１又はＩＰ電話２は、広告送信装置６に広告送信チャネル接続確認信号を送信する（Ｓ３５）。このチャネルは、発信者又は着信者又は両者の通信チャネルとは別のチャネルを利用するため、広告情報の配信は、利用者がＩＰ電話の通信をしている間、可能である。
【００３２】
広告送信装置６は、前記信号を受信したことにより、情報通信端末１又はＩＰ電話２に広告表示の配信をはじめる（Ｓ３６）。これにより以降、発信者は、情報通信端末１又はＩＰ電話２でなされる広告情報を見ることが可能である。
【００３３】
また、広告送信装置６は、サービス提供装置７に呼識別番号Ａを含む広告配信開始通知信号を出し（Ｓ３７）、サービス提供装置７は、情報通信端末１又はＩＰ電話２に発信可信号と着信者アドレスを含む発信要求可否信号を送信する（Ｓ３８）。なお、サービス提供装置７は、ステップＳ３７以降、切断通知を受けるまで、広告配信に伴い、広告配信時間、広告配信の時間帯、配信回数及び接続される配信の利用者数等の配信情報の取得を含めた管理を行う。
【００３４】
情報通信端末１又はＩＰ電話２は、発信可と着信者アドレスを含む発信要求可否通知信号を受けたことにより、着信者の情報通信端末８又はＩＰ電話９に着信者アドレスと発信者アドレスを含む着信信号を送信する（Ｓ３９）。情報通信端末８又はＩＰ電話９は、着信者に発信者アドレスを含む着信を表示し（Ｓ４０）、広告表示能力を含む着信可否判断信号をサービス提供装置７に送信する（Ｓ４１）。サービス提供装置７は、着信可否判断信号を受信すると、広告装置（広告送信装置）アドレスと呼識別番号Ｂと可否情報を含む着信可否通知を情報通信端末８又はＩＰ電話９に送信する（Ｓ４２）。
【００３５】
次に図５において、情報通信端末８又はＩＰ電話９は、着信者からの応答（Ｓ４３）により、広告送信装置６に広告表示能力と呼識別番号Ｂを含む広告送信要求信号を送信する（Ｓ４４）。広告送信装置６は、情報通信端末８又はＩＰ電話９に広告送信チャネル接続信号を送信すると（Ｓ４５）、情報通信端末８又はＩＰ電話９は、広告送信装置６に広告送信チャネル接続確認信号を送信する（Ｓ４６）。
【００３６】
広告送信装置６は、前記信号を受信したことにより、情報通信端末８又はＩＰ電話９に広告表示の配信を始める（Ｓ４７）。これにより以降、着信者は広告表示を見ることが可能である。
【００３７】
広告送信装置６は、サービス提供装置７に呼識別番号Ｂを含む広告配信開始通知信号を出し（Ｓ４８）、サービス提供装置７は、情報通信端末８又はＩＰ電話９へ着信可を含む着信要求可否通知信号を送信する（Ｓ４９）。なお、サービス提供装置７は、ステップＳ４８以降、切断通知を受けるまで着信者に対して、広告配信に伴い、広告配信時間、広告配信の時間帯、配信回数及び接続される配信の利用者数等の配信情報の取得を含めた管理を行う。
【００３８】
情報通信端末８又はＩＰ電話９は、発信者の情報通信端末１又はＩＰ電話２に応答信号を送信し（Ｓ５０）、発信者と着信者は、お互いに異なった広告情報を見ながらＩＰ電話の通話が可能となる（Ｓ５１）。
【００３９】
次に、ＩＰ電話通信の切断について説明する。切断は、発信者から又は着信者から先に行うことができるが、ここでは着信者から先に切断する場合について説明する。着信者が切断すると（Ｓ５２）、着信者の切断操作を受け、情報通信端末８又はＩＰ電話９は、発信者の情報通信端末１又はＩＰ電話２へ切断信号を送信する（Ｓ５３）と共に、広告送信装置６に切断信号を送信する（Ｓ５４）。広告送信装置６は、サービス提供装置７に呼識別番号Ｂを含む切断通知信号を送信する（Ｓ５５）。これにより着信者への広告配信は終了する。一方、切断信号を受けた発信者の情報通信端末１又はＩＰ電話２は、切断信号を広告送信装置６に送信し（Ｓ５６）、広告送信装置６は、呼識別番号Ａを含む切断通知信号をサービス提供装置７に送信する（Ｓ５７）。このようにして、着信者は、情報通信端末８又はディスプレイ付ＩＰ電話９を切断し、発信者の情報通信端末１又はディスプレイ付ＩＰ電話２は切断される。
【００４０】
図４及び図５のシーケンスにおいて、ＩＰ電話の通信を利用する発信者は、ＩＰ電話の終了まで広告情報の閲覧をした場合は、例えば通信料が一部無料又は全額無料となり、サービス提供事業者４が広告提供事業者３に通信料を請求し、広告提供事業者３が通信料を負担するように課金される。また、サービス提供事業者４は、広告情報を配信する広告配信時間と広告配信の時間帯と配信回数と接続される配信の利用者数により、また、動画又は静止画又はテキスト等メディアの種類により、通信料の価格を定めておく。
【００４１】
これにより、広告情報の配信は、利用者同士のＩＰ電話をする通信チャネルとは別の情報帯域を利用するために、利用者がＩＰ電話の通信をしている間、可能である。また、発信者は、広告情報或いは配信の時間等により、一部の通信料又は全ての通信料を広告提供事業者３に負担してもらうことが可能であり、ＩＰ電話利用に対する広がりの効果が期待できる。
【００４２】
以上説明した本発明は、前記した実施形態に限定されることなく幅広く変形実施することができる。例えば、サービス提供事業者が自ら広告の提供を行うことで広告提供事業者を兼ねたＩＰ電話サービスシステムであっても構わない。また、広告情報として音声情報を含めても構わない。広告情報は、通話終了までの全時間帯又は一部の時間帯に広告してもよい。
【００４３】
【発明の効果】
本発明によれば、ＩＰ電話の通信中に、連続的に通信終了まで動画又は静止画又はテキスト等の広告情報を、それぞれの利用者に関する属性情報に合わせて個別に配信することを可能とし、また、広告情報を配信している間、ＩＰ電話の通信料を広告提供事業者に課金することが可能であり、ＩＰ電話サービスの新たなビジネスを構築することができる。
【図面の簡単な説明】
【図１】本発明の一実施形態に係る広告情報を伴うＩＰ電話サービスシステムのシステム構成を示す図である。
【図２】ＩＰ電話サービスシステムのブロック構成図である。
【図３】発信者又は着信者への広告情報と料金の流れを示す図である。
【図４】広告情報とＩＰ電話サービスシステムのシーケンスを示すフローチャート図である。
【図５】図４からの続きである、広告情報とＩＰ電話サービスシステムのシーケンスを示すフローチャート図である。
【符号の説明】
１・・発信者の情報通信端末
２・・発信者のディスプレイ付ＩＰ電話（ＩＰ電話）
３・・広告提供事業者
４・・サービス提供事業者
５・・広告情報ＤＢ（データベース）
６・・広告送信装置
７・・サービス提供装置
８・・着信者の情報通信端末
９・・着信者のディスプレイ付ＩＰ電話（ＩＰ電話）
１０・・インターネット（ＩＰ網）
２０・・ＩＰ電話サービスシステム
【図１】
2004236255.tif 000003
【図２】
2004236255.tif 000004
【図３】
2004236255.tif 000005
【図４】
2004236255.tif 000006
【図５】
2004236255.tif 000007